(57)【要約】【課題】患者識別情報を比較するための処理を行わないで、医師や読影技師に患者の取り違いの有無の通知を行う医用情報処理装置を提供する。【解決手段】本実施形態に係る医用情報処理装置は、医療情報を表示するアプリケーションが起動したとき、そのアプリケーションを起動した前記医療情報における患者を特定する特定情報に対して、その患者を識別するための音のパラメータを割り当てるパラメータ割当部と、前記音のパラメータが割り当てられた前記患者の特定情報に対して、そのパラメータを出力する際の波形の位相を割り当てる位相設定部と、前記パラメータの音と前記波形の位相とが割り当てられた前記患者の特定情報において前記音の出力開始位置を調整して、前記患者の特定情報に割り当てられた前記パラメータの音をそれぞれ同時に出力する音出力部と、を備える。【選択図】  図１
2015114721.tif 000002
【特許請求の範囲】
【請求項１】
医療情報を表示するアプリケーションが起動したとき、そのアプリケーションを起動した前記医療情報における患者を特定する特定情報に対して、その患者を識別するための音のパラメータを割り当てるパラメータ割当部と、
前記音のパラメータが割り当てられた前記患者の特定情報に対して、そのパラメータを出力する際の波形の位相を割り当てる位相設定部と、
前記パラメータの音と前記波形の位相とが割り当てられた前記患者の特定情報において前記音の出力開始位置を調整して、前記患者の特定情報に割り当てられた前記パラメータの音をそれぞれ同時に出力する音出力部と、
を備える医用情報処理装置。
【請求項２】
前記位相設定部は、
最初に起動をした第１の前記アプリケーションについては、その患者の特定情報に対して正の波形を出力する位相を割り当てて、前記第１のアプリケーションの次に起動した第２のアプリケーションについては、その患者の特定情報に対して逆位相の波形を出力する位相を割り当てる
請求項１に記載の医用情報処理装置。
【請求項３】
前記位相設定部は、
最初に起動をした第１の前記アプリケーションについては、その患者の特定情報に対して正の波形を出力する位相を割り当てるとともに、前記第１のアプリケーションを起動した後に起動した２つ以上のアプリケーションについては、それぞれ患者の特定情報に対して逆位相の波形を出力する位相を割り当てて、
前記音出力部は、
前記第１のアプリケーションにおける前記患者の特定情報に対して割り当てられた前記パラメータの音を継続的に出力する一方、前記２つ以上のアプリケーションにおける前記それぞれ患者の特定情報に対して割り当てられた前記パラメータの音を所定の時間間隔で交互に出力する
請求項１に記載の医用情報処理装置。
【請求項４】
前記音出力部は、
最初に起動した第１の前記アプリケーションにおける患者の特定情報に対して割り当てられた前記パラメータの音を親として継続的に出力する一方、前記第１のアプリケーションの後に起動したアプリケーションの患者の特定情報に対して割り当てられたパラメータの音を子として、前記親のパラメータの音と同時に出力する
請求項１から３のいずれか１項に記載の医用情報処理装置。
【請求項５】
前記パラメータ割当部は、
前記患者ごとに異なる音のパラメータを割り当てる
請求項１から４のいずれか１項に記載の医用情報処理装置。
【請求項６】
前記パラメータ割当部は、
前記患者の特定情報に対して、音階、周波数または振幅のいずれかを、前記パラメータとして割り当てる
請求項１から５のいずれか１項に記載の医用情報処理装置。
【請求項７】
前記パラメータ割当部は、
前記患者の特定情報における患者固有識別子または患者名、生年月日、性別、検査予定日のうち２以上の所定の組み合わせにより、前記医療情報における前記患者の特定情報が同一か否かを識別する
請求項１から６のいずれか１項に記載の医用情報処理装置。
【発明の詳細な説明】
【技術分野】
【０００１】
本発明の実施の形態は、医用情報処理装置に関する。
【背景技術】
【０００２】
現在、医療分野において、画像撮影装置（モダリティ）によって撮像された医用画像を、保管、閲覧及び管理する医用画像管理システム（ＰＡＣＳ：Picture Archiving and Communication System）が導入されている。
【０００３】
この医用画像管理システムは、画像撮影装置で撮像した医用画像を観察するための医用画像表示システムや、その医用画像を読影して医用画像診断レポートを作成するためのレポート作成システムまたは医師の診療記録を紙カルテの代わりに電子情報として記録する電子カルテシステムなどとともに用いられる。
【０００４】
ここで、医師や読影技師は、例えば、医用画像管理システムの一部を構成する医用情報処理装置を使用して複数のアプリケーションを起動し、診察や読影を行っている。このため、各アプリケーションに表示されている患者の医用画像が異なる場合には、患者情報の取り違え（これを患者の取り違えともいう。）が生じ得る。
【０００５】
これに関連して、患者の取り違えを防止するため、患者識別情報と画像データとを合成して印刷用データを生成するとともに、その患者識別情報と、システムに記憶されている患者識別情報との照合結果に基づいて、画像データのフィルム印刷用のデータを生成する医用画像診断システムが開示されている（特許文献１参照）。
【先行技術文献】
【特許文献】
【０００６】
【特許文献１】特開２００６−１９８０４３号公報
【発明の概要】
【発明が解決しようとする課題】
【０００７】
ところで、患者の取り違えに関し様々な取り組みがなされている。例えば、画像データ（医用画像）を見ながら診断レポートを作成する場合、同一の患者識別情報の場合のみ、複数のアプリケーションの起動を許可するシステムが検討されている。
【０００８】
具体的には、診断レポートを作成する場合において、表示している画像データの患者識別情報が異なる場合は、患者識別情報を比較する比較処理を行った後に、患者識別情報が異なる警告メッセージを使用者に通知するようになっている。
【０００９】
しかしながら、複数のアプリケーション間で表示している画像データの患者情報が同一か否かを確認し判断するための機能は、アプリケーションを起動する情報処理装置自体に高負荷がかかってしまう。具体的には、このような機能には、各アプリケーションに対応するモジュールが必要となり、患者情報を監視する監視モジュールがソフトウエア間で連携を取る必要があるとともに、ハードウエアに非常に高負荷が生じ得る。
【００１０】
また、画像データの患者識別情報が異なる場合、患者識別情報を比較する比較処理を行った後に、患者識別情報が異なる警告メッセージを使用者に通知等が行われるため、診断レポートの作成が煩雑になっている。
【課題を解決するための手段】
【００１１】
本実施の形態に係る医用情報処理装置は、医療情報を表示するアプリケーションが起動したとき、そのアプリケーションを起動した前記医療情報における患者を特定する特定情報に対して、その患者を識別するための音のパラメータを割り当てるパラメータ割当部と、前記音のパラメータが割り当てられた前記患者の特定情報に対して、そのパラメータを出力する際の波形の位相を割り当てる位相設定部と、前記パラメータの音と前記波形の位相とが割り当てられた前記患者の特定情報において前記音の出力開始位置を調整して、前記患者の特定情報に割り当てられた前記パラメータの音をそれぞれ同時に出力する音出力部と、を備える。
【図面の簡単な説明】
【００１２】
【図１】第１の実施の形態に係る医用情報処理装置の概略の構成の一例を示した概略構成図。
【図２】本実施形態に係る医用情報処理装置の第１の患者医療情報出力部の概略の構成の一例を示した概略構成図。
【図３】医用情報処理装置の構成を示すハードウエアブロック図。
【図４】本実施形態に係る医用情報処理装置が、アプリケーションの起動に伴い音を出力する同定報知処理を示したフローチャート。
【図５】本実施形態に係る医用情報処理装置のパラメータ割当部が、患者ＩＤに音のパラメータを割り当てる対応関係を示した対応テーブル。
【図６】本実施形態に係る音出力部が、患者ＩＤが示す患者に割り当てられた音のパラメータと位相を出力する波形の状態を示した説明図。
【図７】第２の実施の形態に係る医用情報処理装置の概略の構成の一例を示した概略構成図。
【図８】第２の実施形態に係る医用情報処理装置が、第２のアプリケーションと第３のアプリケーションに割り当てられたパラメータの音を、所定の時間間隔で交互に出力する複数同定報知処理を示したフローチャート。
【図９】第２の実施形態に係る音出力部が、３つのアプリケーションが起動した場合において各アプリケーションについて患者ごとに割り当てられたパラメータの音の出力の状態を示した説明図。
【発明を実施するための形態】
【００１３】
本実施形態に係る医用情報処理装置は、医療情報を表示するアプリケーションが起動したとき、そのアプリケーションを起動した医療情報における患者を特定する特定情報に対して、その患者を識別するための音のパラメータを割り当てるパラメータ割当部と、音のパラメータが割り当てられた患者の特定情報に対して、そのパラメータを出力する際の波形の位相を割り当てる位相設定部と、パラメータの音と波形の位相とが割り当てられた患者の特定情報において音の出力開始位置を調整して、患者の特定情報に割り当てられたパラメータの音をそれぞれ同時に出力する音出力部と、を備えるようになっている。
【００１４】
これにより、本実施形態に係る医用情報処理装置は、医用画像表示装置や画像診断レポート作成装置などに適用し、患者情報を比較するための処理を行わないで医師や読影技師に患者の取り違いの有無の通知を音によって行うことができるので、医師などに対して医療情報の確認作業の煩雑さの軽減を図ることができる。
【００１５】
なお、本実施形態に係る医用情報処理装置は、例えば、レポート支援システム、医用画像表示システム、電子カルテシステムまたは病院情報システムなどを構成する情報処理装置に適用することができ、いずれかのシステムを構成する情報処理装置において、複数（２つ以上）のアプリケーションを同時に起動する場合に好適である。
【００１６】
また、第１の実施形態では、第１のアプリケーションとしてレポートの作成を支援するレポート支援システムと、第２のアプリケーションとしてビューアを起動する医用画像表示システムの一部を構成する情報処理装置に、本実施形態に係る医療情報処理装置を適用した場合について、説明することとする。
【００１７】
（第１の実施形態）
以下、第１の実施の形態に係る医用情報処理装置３００について、添付図面を参照して説明する。
【００１８】
図１は、第１の実施の形態に係る医用情報処理装置３００の概略の構成の一例を示した概略構成図である。
【００１９】
図１に示すように、医用情報処理装置３００は、第１のアプリケーション１００、第２のアプリケーション２００、パラメータ割当部３１０、位相設定部３２０および音出力部３３０などを備えて構成されている。
【００２０】
第１のアプリケーション１００は、レポート支援システムの構成の一部として機能するアプリケーションである。具体的には、第１のアプリケーション１００は、外部から画像データ（医用情報）を取得して、レポートを作成するためにその画像データを表示部に表示するためのアプリケーションである。
【００２１】
また、第１のアプリケーション１００は、第１のアプリケーション起動部１０５、第１のアプリケーション起動検知部１１５および第１の患者医療情報出力部１３０などを備えて構成されている。
【００２２】
第１のアプリケーション起動部１０５は、第１のアプリケーションであるレポート作成を支援するアプリケーション（以下、単にレポートともいう。）を起動させるユーザ操作を医師や読影医師が行うと、そのユーザ操作に基づいて、レポートを起動するようになっている。
【００２３】
第１のアプリケーション起動検知部１１５は、第１のアプリケーション起動部１０５がアプリケーションであるレポートを起動すると、そのレポートが起動したことを検知するようになっている。
【００２４】
第１の患者医療情報出力部１３０は、患者の属性を示す患者属性情報、起動したアプリケーションを識別するためのアプリケーション特定情報、患者の同定に利用する患者情報の種類（種別）を出力する機能を有している。
【００２５】
なお、患者の属性を示す患者属性情報とは、患者の診察券や電子カルテに対応づけられた患者を特定するための患者ＩＤ（患者固有識別子）、氏名、生年月日、性別、検査予定日時、検査を依頼した医師名、撮像した撮像技師名などのことをいう。
【００２６】
起動したアプリケーションを識別するためのアプリケーション特定情報とは、レポートが起動されたことを契機として、その起動したレポートを識別するための識別情報のことをいう。例えば、プロセスＩＤ（Process ID）、プロセス名、ウインドウタイトルまたは、アプリケーションごとに設定された固有のＩＤなどが該当する。
【００２７】
患者の同定に利用する患者情報とは、例えば、第１のアプリケーション１００と第２のアプリケーション２００との間において、患者ＩＤの連携が取れている場合は、患者ＩＤが該当し、患者ＩＤの連携が取れていない場合には、氏名、生年月日、性別、検査予定日時、検査を依頼した医師名、撮像した撮像技師名などのうち、２つ以上の組み合わせを利用して、患者の同定に利用する患者情報の種類（種別）が該当する。
【００２８】
第２のアプリケーション２００は、医師や読影技師が検査画像を参照したり観察する際に、ビューアとして表示するアプリケーションである。具体的には、第２のアプリケーション２００は、モダリティによって撮像された画像データを表示部に表示するためのアプリケーションである。
【００２９】
また、第２のアプリケーション２００は、第２のアプリケーション起動部２０５、第２のアプリケーション起動検知部２１５および第２の患者医療情報出力部２３０などを備えて構成されている。
【００３０】
第２のアプリケーション起動部２０５は、第２のアプリケーションである画像データを表示するアプリケーション（以下、単にビューアともいう。）を起動させるユーザ操作を医師や読影医師が行うと、そのユーザ操作に基づいて、ビューアを起動するようになっている。
【００３１】
第２のアプリケーション起動検知部２１５は、第２のアプリケーション起動部２０５がアプリケーションであるビューアを起動すると、そのビューアが起動したことを検知するようになっている。
【００３２】
第２の患者医療情報出力部２３０は、患者の属性を示す患者属性情報、起動したアプリケーションを識別するためのアプリケーション特定情報、患者の同定に利用する患者情報の種類（種別）を出力する機能を有している。また、第２の患者医療情報出力部２３０は、第１の患者医療情報出力部１３０と同等の機能を備えている。
【００３３】
パラメータ割当部３１０は、患者の医療情報を表示するアプリケーションが起動したとき、そのアプリケーションを起動した医療情報における患者を特定する特定情報に対して、その患者を識別するための音のパラメータを割り当てる機能を有している。
【００３４】
ここで、音のパラメータとは、音階、周波数、振幅などのことであって、人間が音として認識することができる要素のことをいう。また、本実施形態では、音のパラメータは、アプリケーションが起動する度にそのアプリケーションを起動した患者の特定情報ごとにパラメータが割り当てられるものとする。なお、本実施形態では、音のパラメータに位相を含まないものとする。
【００３５】
位相設定部３２０は、パラメータが割り当てられた患者の特定情報に対して、そのパラメータを出力する際の波形の位相を割り当てる機能を有している。
【００３６】
音出力部３３０は、音のパラメータおよび波形の位相が割り当てられた患者の特定情報において音の出力開始位置を調整し、患者の特定情報に割り当てられたパラメータの音をそれぞれ同時に出力する機能を有している。
【００３７】
このように、本実施形態に係る医用情報処理装置３００は、第１のアプリケーション１００（レポート）または第２のアプリケーション２００（ビューア）がそれぞれ起動した際に、患者の特定情報における音の出力開始位置を調整し、起動したアプリケーションに対応する患者の特定情報に割り当てられたパラメータの音をそれぞれ同時に出力する。
【００３８】
これにより、本実施形態に係る医用情報処理装置３００は、第１のアプリケーション１００および第２のアプリケーション２００において患者の特定情報を比較するための処理を行わないで、医師や読影技師に患者の取り違いの有無の通知を行うことができるので、医師などに対して医療情報の確認作業の煩雑さの軽減を図ることができる。
【００３９】
なお、本実施形態では、第１のアプリケーション１００であるレポートと第２のアプリケーション２００であるビューアとがそれぞれ起動した際に、患者の特定情報に割り当てられた音の出力開始位置を調整して出力することとし、いずれか一方のみが起動している状態では、パラメータの音の出力は行わないものとする。
【００４０】
図２は、本実施形態に係る医用情報処理装置３００（図１）の第１の患者医療情報出力部１３０の概略の構成の一例を示した概略構成図である。なお、以下に第１の患者医療情報出力部１３０の構成を説明するが、第２の患者医療情報出力部２３０の構成も同様であるため、第２の患者医療情報出力部２３０の説明は省略する。
【００４１】
第１の患者医療情報出力部１３０は、属性情報取得部１３１、患者属性情報記憶部１３５、アプリケーション特定部１４０、アプリケーション特定情報記憶部１４５、患者同定属性取得部１５０、患者同定属性記憶部１５５およびアプリケーション患者医療情報出力部１６０を備えて構成されている。
【００４２】
属性情報取得部１３１は、第１の患者医療情報出力部１３０の患者属性情報記憶部１３５に格納されている患者属性情報を取得する機能を有している。本実施の形態では、属性情報取得部１３１は、第１のアプリケーション１００と第２のアプリケーションとの間において、患者ＩＤの連携が取れている場合には、患者ＩＤを取得する一方、患者ＩＤの連携が取れていない場合には、氏名、生年月日、性別、検査予定日時、検査を依頼した医師名、撮像した撮像技師名などのうち、２つ以上の組み合わせを利用して、患者の同定に利用する患者情報を取得する。
【００４３】
アプリケーション特定部１４０は、第１の患者医療情報出力部１３０のアプリケーション特定情報記憶部１４５に格納されているアプリケーション特定情報を取得する機能を有している。例えば、アプリケーション特定部１４０は、プロセスＩＤ（Process ID）、プロセス名、ウインドウタイトル、アプリケーションごとに設定された固有のＩＤをアプリケーション特定情報記憶部１４５から取得する。
【００４４】
患者同定属性取得部１５０は、第１の患者医療情報出力部１３０の患者同定属性記憶部１５５に格納されている患者の同定に利用する患者情報の種類を取得する。例えば、患者同定属性取得部１５０は、第１のアプリケーション１００と第２のアプリケーションとの間において、患者ＩＤの連携が取れている場合には、患者ＩＤが該当し、患者ＩＤの連携が取れていない場合には、氏名、生年月日、性別、検査予定日時、検査を依頼した医師名、撮像した撮像技師名などのうち、２つ以上の組み合わせによって患者の同定に利用する患者情報の種類（種別）を取得する。
【００４５】
アプリケーション患者医療情報出力部１６０は、属性情報取得部１３１、アプリケーション特定部１４０および患者同定属性取得部１５０から取得した各種情報をパラメータ割当部３１０（図１）に出力する。具体的には、アプリケーション患者医療情報出力部１６０は、患者の属性を示す患者属性情報、アプリケーションを識別するためのアプリケーション特定情報、患者の同定に利用する患者情報の種類（種別）を出力する。
【００４６】
図３は、医用情報処理装置３００の構成を示すハードウエアブロック図である。
【００４７】
図３に示すように、医用情報処理装置３００は、ＣＰＵ（Central Processing Unit）３０１、ＲＯＭ（Read Only Memory）３０２、ＲＡＭ（Random Access Memory）３０３、ネットワークインターフェース部３０５、操作部３０６、表示部３０７、記憶部３０８および内部バス３０９などを備えて構成されている。
【００４８】
ＣＰＵ３０１は、ＲＯＭ３０２に格納されている各種プログラムをＲＡＭ３０３にロードして、そのプログラムを展開することにより、各種プログラムの機能を実現することできるようになっている。ＲＡＭ３０３は、ワークエリア（作業用メモリ）として利用されるようになっている。ＲＯＭ３０２は、各種プログラムを格納するようになっている。ＲＯＭ３０２に格納されている各種プログラムには、図１及び図２で示した機能を実現するための第１の患者医療情報出力部１３０、第２の患者医療情報出力部２３０、パラメータ割当部３１０、位相設定部３２０および音出力部３３０などを実行するプログラムが含まれる。
【００４９】
ネットワークインターフェース部３０５は、ネットワークを介して、図示しない医用画像表示システムに接続して、その医用画像表示システムから画像データを取得するためのインターフェース部である。
【００５０】
操作部３０６は、レポートの入力、修正や編集を行うための入力装置である。具体的には、操作部３０６は、キーボードとマウスにより構成されている。
【００５１】
表示部３０７は、検査画像やレポートを表示する表示部として構成されている。この表示部３０７は、液晶ディスプレイやモニタなどにより構成されている。
【００５２】
記憶部３０８は、記憶メモリを構成する記憶部であり、ＲＡＭやハードディスクなどによって構成されている。本実施の形態では、記憶部３０８は、例えば、図２に記載された患者属性情報記憶部１３５、アプリケーション特定情報記憶部１４５および患者同定属性記憶部１５５を構成するようになっている。
【００５３】
内部バス３０９は、ＣＰＵ３０１によって医用情報処理装置３００が統括制御されるように、各構成要素に接続されている。
【００５４】
（同定報知処理）
次に、第１の実施形態に係る医用情報処理装置３００の動作について、図１および図２を参照しながら説明する。
【００５５】
図４は、本実施形態に係る医用情報処理装置３００が、アプリケーションの起動に伴い音を出力する同定報知処理を示したフローチャートである。図４において、Ｓに数字を付した符号は、フローチャートの各ステップを示している。
【００５６】
医用情報処理装置３００においてレポートを作成する第１のアプリケーション１００が起動されると、第１の患者医療情報出力部１３０の属性情報取得部１３１は、患者属性情報記憶部１３５から患者の属性を示す患者属性情報を取得して、その患者属性情報をアプリケーション患者医療情報出力部１６０に出力する。患者医療情報出力部１６０は、その患者属性情報をパラメータ割当部３１０に出力する。パラメータ割当部３１０は、第１の患者医療情報出力部１３０のアプリケーション患者医療情報出力部１６０を介して、患者属性情報を患者属性情報記憶部１３５から取得する（ステップＳ００１）。
【００５７】
次に、第１の患者医療情報出力部１３０のアプリケーション特定部１４０は、アプリケーション特定情報記憶部１４５からアプリケーション特定情報を取得して、そのアプリケーション特定情報をアプリケーション患者医療情報出力部１６０に出力する。患者医療情報出力部１６０は、そのアプリケーション特定情報をパラメータ割当部３１０に出力する。パラメータ割当部３１０は、第１の患者医療情報出力部１３０のアプリケーション患者医療情報出力部１６０を介して、アプリケーション特定情報をアプリケーション特定情報記憶部１４５から取得する（ステップＳ００３）。
【００５８】
次に、第１の患者医療情報出力部１３０の患者同定属性取得部１５０は、患者同定属性記憶部１５５から患者の同定に利用する患者同定属性を取得して、アプリケーション患者医療情報出力部１６０に出力する。患者医療情報出力部１６０は、その患者同定情報をパラメータ割当部３１０に出力する。パラメータ割当部３１０は、第１の患者医療情報出力部１３０のアプリケーション患者医療情報出力部１６０を介して、患者同定属性を患者同定属性記憶部１５５から取得する（ステップＳ００５）。
【００５９】
なお、本実施形態では、患者ＩＤ（患者属性情報）によりアプリケーション間で連携が取れているものと仮定して、患者ＩＤで同定を行う方法により以下に説明するが、これに限定されるものではない。具体的には、患者ＩＤで同定を行うことができない場合には、２つ以上の患者情報の組み合わせを利用して、患者の同定を行うようにしてもよい。
【００６０】
次に、医用情報処理装置３００において画像データを表示する第２のアプリケーション２００（ビューア）が起動されると、第１の患者医療情報出力部１３０と同様に、パラメータ割当部３１０は、第２の患者医療情報出力部２３０のアプリケーション患者医療情報出力部１６０を介して、第２の患者医療情報出力部２３０の患者属性情報記憶部１３５から患者属性情報を取得する（ステップＳ００１Ａ）。
【００６１】
また、第１の患者医療情報出力部１３０と同様に、パラメータ割当部３１０は、第２の患者医療情報出力部２３０のアプリケーション患者医療情報出力部１６０を介して、第２の患者医療情報出力部２３０のアプリケーション特定情報記憶部１４５からアプリケーション特定情報を取得する（ステップＳ００３Ａ）。
【００６２】
また、第１の患者医療情報出力部１３０と同様に、パラメータ割当部３１０は、第２の患者医療情報出力部２３０のアプリケーション患者医療情報出力部１６０を介して、第２の患者医療情報出力部２３０の患者同定属性記憶部１５５から患者情報の種類を取得する（ステップＳ００５Ａ）。
【００６３】
パラメータ割当部３１０は、アプリケーション患者医療情報出力部１６０から取得する患者ＩＤとアプリケーション特定情報とを関連付けて、患者ＩＤに患者を識別するための音のパラメータを割り当てる（ステップＳ００７）。
【００６４】
図５は、本実施形態に係る医用情報処理装置３００のパラメータ割当部３１０が、患者ＩＤに音のパラメータを割り当てる対応関係を示した対応テーブルである。
【００６５】
図５に示すように、この図のテーブルでは、「Ｎｏ．」、「患者ＩＤ」、「パラメータ」の項目を有している。「Ｎｏ．」は、アプリケーションで扱うことが想定される患者ＩＤの数を示している。医用情報処理装置３００は、一例として、「００１」から「００６」までの６人分の患者ＩＤを取り扱えるものとする。「患者ＩＤ」は、第１の患者医療情報出力部１３０のアプリケーション患者医療情報出力部１６０から取得した患者ＩＤである。「パラメータ」は、「Ｎｏ．」に対応した患者ＩＤごとに、音階の一例であるド・レ・ミ・ファ・ソ・ラが割り当てられる。
【００６６】
具体的には、患者Ａに対応する患者ＩＤ「ＸＸＸ１」には、音のパラメータの「ド」が割り当てられ、患者Ｂに対応する患者ＩＤ「ＸＸＸ２」には、音のパラメータの「レ」を割り当てられる。なお、この対応テーブルは、アプリケーションごとに設けられ、患者ごとにそれぞれ音のパラメータが割り当てられるものとする。
【００６７】
但し、同一のアプリケーションにおいて、同一の患者ＩＤによる複数の起動（例えば、同一患者ＩＤによる複数のレポートや複数のビューアの起動）は、患者ＩＤが同一であるため、音のパラメータの割り当ては、行わないものとする。
【００６８】
位相設定部３２０は、パラメータが割り当てられた患者ＩＤに対して、そのパラメータを出力する際の波形の位相を設定する（ステップＳ００９）。
【００６９】
例えば、位相設定部３２０は、最初に起動をした第１のアプリケーション１００（レポート）については、その患者ＩＤについて正の波形を出力する位相を設定する。一方、２番目に起動した第２のアプリケーション２００（ビューア）については、その患者ＩＤについて逆位相の波形を出力する位相を設定する。
【００７０】
具体的には、医用情報処理装置３００の第１のアプリケーション１００（レポート）が第２のアプリケーション２００（ビューア）よりも先に起動した場合は、医用情報処理装置３００は、第１のアプリケーション１００（レポート）の患者ＩＤには正の波形（正位相）を割り当てて、第２のアプリケーション２００（ビューア）の患者ＩＤには逆位相の波形をそれぞれ割り当てる。
【００７１】
音出力部３３０は、音のパラメータと波形の位相とが割り当てられた患者ＩＤについて音の出力開始位置を調整し、患者ＩＤに割り当てられたそれぞれのパラメータの音を同時に出力する（ステップＳ０１１）。具体的には、音出力部３３０は、第１のアプリケーション１００としてレポートを起動してその患者ＩＤに割り当てられたパラメータの音と、第２のアプリケーション２００としてビューアを起動してその患者ＩＤに割り当てられたパラメータの音とを同時に出力する。
【００７２】
図６は、本実施形態に係る音出力部３３０が、患者ＩＤが示す患者に割り当てられた音のパラメータと位相を出力する波形の状態を示した説明図である。
【００７３】
図６に示すように、この図では、アプリケーションとパターンの欄が設けられており、アプリケーションの欄には、レポートとビューアが記載されている。また、レポートとビューアのそれぞれの欄には、患者名と、音と、位相の欄が設けられている。
【００７４】
パターン１では、第１のアプリケーションを示すレポートが、患者Ａについて起動されるともに、その後に第２のアプリケーションを示すビューアが、患者Ａについて起動されたことを示している。
【００７５】
パターン１では、起動されたアプリケーションに対応する患者名が同じ患者Ａであるため、同じ音の「ド」が正位相と逆位相により出力されている。この場合、音が相殺されるので、音出力部３３０は、音を出力しない状態（無音）となる。
【００７６】
一方、パターン２では、第１のアプリケーションを示すレポートが、患者Ａについて起動されるとともに、第２のアプリケーションを示すビューアが、患者Ｂに対応して起動されている。この場合、患者Ａと患者Ｂではパラメータの音が異なるため、「ド」と「レ」の音は相殺されず、音出力部３３０は、医師や読影技師に対し、音が聞こえるように出力される状態（音あり）となる。
【００７７】
また、このとき出力される音の状態は、「ド」の正位相と「レ」の逆位相であるため、違和感を生じる音である。
【００７８】
このように、本実施形態に係る医用情報処理装置３００は、異なるアプリケーションにおいて異なる患者の画像データ（医療情報）を表示していることを、音（特に、違和感を生じる音）により通知する。音出力部３３０は、異なる２つのアプリケーションにおいて患者ＩＤに割り当てられたパラメータの音を出力すると、同定報知処理を終了する。
【００７９】
以上説明したように、本実施形態に係る医用情報処理装置３００は、音出力部３３０において、パラメータの音と位相とが割り当てられた患者ＩＤに対し、音の出力開始位置を調整して各患者ＩＤに割り当てられたパラメータの音を同時に出力する。
【００８０】
このように、本実施形態によれば、医用情報処理装置３００は、起動した異なる２つのアプリケーションにおける患者の画像データ（医療情報）が異なる旨を、音を出すだけの簡単な処理により医師や読影技師に対して通知することができる。
【００８１】
（第２の実施形態）
第１の実施形態では、２つの異なるアプリケーションが起動した場合に、患者ＩＤごとに割り当てられたパラメータの音を出力するようになっていた。第２の実施形態では、さらに３つ目のアプリケーションが起動した場合について説明する。
【００８２】
図７は、第２の実施の形態に係る医用情報処理装置３００Ａの概略の構成の一例を示した概略構成図である。
【００８３】
図７に示すように、医用情報処理装置３００Ａは、第１の実施形態に加え、第３のアプリケーション４００を備えている。
【００８４】
第３のアプリケーション４００は、電子カルテシステムの構成の一部として機能するアプリケーションである。具体的には、第３のアプリケーション４００は、外部から画像データ（医用情報）を取得して、カルテを作成するためにその医用情報を表示するアプリケーション（以下、単にカルテともいう。）である。
【００８５】
また、第３のアプリケーション４００は、第３のアプリケーション起動部４０５、第３のアプリケーション起動検知部４１５および第３の患者医療情報出力部４３０などを備えて構成されている。
【００８６】
ここで、第３のアプリケーション４００は、第１のアプリケーション１００および第２のアプリケーション２００と同等な構成であるため、第３のアプリケーション４００の各構成の説明は省略する。
【００８７】
第３のアプリケーション４００であるカルテが起動した場合における基本的な動作は、図４で説明した第２のアプリケーション２００の処理であるステップＳ００１ＡからステップＳ００９までの処理が、第３のアプリケーション４００に対しても同様に適用される。
【００８８】
そして、音出力部３３０は、第１のアプリケーション１００を起動した患者ＩＤに割り当てられたパラメータの音については、第１の実施形態と同様に出力する一方、第２のアプリケーション２００および第３のアプリケーション４００を起動した患者ＩＤに割り当てられたパラメータの音については、それぞれのパラメータの音を所定の時間間隔で交互に出力するようになっている。
【００８９】
すなわち、音出力部３３０は、最初に起動した第１のアプリケーション１００を固定（親）とし、第２のアプリケーション２００および第３のアプリケーション４００を子として扱い、子に相当するアプリケーションのパラメータの音をそれぞれ順番に入れ替えて出力する。
【００９０】
具体的には、音出力部３３０は、第１のアプリケーション１００（親：レポート）に割り当てられたパラメータの音と、第２のアプリケーション２００（子：ビューア）に割り当てられたパラメータの音を所定時間出力した後、次に第１のアプリケーション１００（親）に割り当てられたパラメータの音と、第３のアプリケーション４００（子：カルテ）に割り当てられたパラメータの音を所定時間出力する。
【００９１】
次に、図４で説明したステップＳ００１ＡからステップＳ００９までの処理が、第３のアプリケーションに対して適用された後、ステップＳ０１１において音の出力以降の処理について説明する。
【００９２】
（複数同定報知処理）
図８は、第２の実施形態に係る医用情報処理装置３００Ａが、第２のアプリケーション２００と第３のアプリケーション４００に割り当てられたパラメータの音を、所定の時間間隔で交互に出力する複数同定報知処理を示したフローチャートを示している。図８において、Ｓに数字を付した符号は、フローチャートの各ステップを示している。
【００９３】
音出力部３３０は、第１のアプリケーション１００について患者ＩＤに割り当てられたパラメータの音を出力するとともに、第２のアプリケーション２００について患者ＩＤに割り当てられたパラメータの音を出力する（ステップＳ０１１）。
【００９４】
次に、音出力部３３０は、例えば、ステップＳ０１１において音を出力してから１０秒経過後に、第１のアプリケーション１００について患者ＩＤに割り当てられたパラメータの音を継続して出力する一方、第２のアプリケーション２００について患者ＩＤに割り当てられたパラメータの音を、第３のアプリケーション４００について患者ＩＤに割り当てられたパラメータの音に入れ替えて出力する（これを、子アプリケーションの入れ替えＡともいう。）（ステップＳ０１３）。
【００９５】
音出力部３３０は、再び１０秒経過後に、第１のアプリケーション１００について患者ＩＤに割り当てられたパラメータの音を継続して出力する一方、第３のアプリケーション４００について患者ＩＤに割り当てられたパラメータの音を、第２のアプリケーション２００について患者ＩＤに割り当てられたパラメータの音に入れ替えて出力する（これを、子アプリケーションの入れ替えＢともいう。）（ステップＳ０１５）。以下、この状態について、図面を用いて説明する。
【００９６】
図９は、第２の実施形態に係る音出力部３３０が、３つのアプリケーションが起動した場合において各アプリケーションについて患者名ごとに割り当てられたパラメータの音の出力の状態を示した説明図である。
【００９７】
図９において図６と異なる点は、第３のアプリケーションとして、電子カルテシステムを構成するカルテのアプリケーションが追加されている点である。主な項目の欄については、図６と同一であるため、説明を省略する。
【００９８】
図９に示すように、この図では、第１のアプリケーションとしてレポートが起動され、第２のアプリケーションとしてビューアが起動され、第３のアプリケーションとしてカルテが起動されたことを示している。
【００９９】
第２の実施形態では、音出力部３３０は、第１のアプリケーションであるレポートを親として、レポートについて患者ＩＤ（患者名）のパラメータの音を継続して出力する。一方、第２のアプリケーションであるビューアと第３のアプリケーションであるカルテについては、子として扱い、音出力部３３０は、子に該当するアプリケーションについて患者ＩＤに割り当てられたパラメータの音を、所定の時間（例えば、１０秒間）経過後に交互にそれぞれ出力する。
【０１００】
図９のパターン３の場合、第１のアプリケーションであるレポートに対応する患者Ａについては、「ド」の音を「正位相」で出力するとともに、同時に第２のアプリケーションであるビューアに対応する患者Ａについては、「ド」の音を「逆位相」で１０秒間出力する。この場合は、第１の実施形態と同様に、各アプリケーションについて患者ＩＤが患者Ａで同一であるため、出力された音は相殺され、無音となる。
【０１０１】
音出力部３３０は、１０秒後に、第２のアプリケーションであるビューアについて患者ＩＤに割り当てられたパラメータの音から、第３のアプリケーションであるカルテについて患者ＩＤに割り当てられたパラメータの音に切り替える（子アプリケーションの入れ替えＡ）。この場合、レポートに対応する患者ＩＤの患者名は患者Ａであるが、カルテに対応する患者ＩＤの患者名は患者Ｂであるため、音出力部３３０は、カルテに対応する患者Ｂに割り当てられた「レ」の音を「逆位相」で出力する。
【０１０２】
また、患者Ａと患者Ｂでは、割り当てられた音が「ド」と「レ」で異なるため、音出力部３３０は音を出力し、医師や読影技師に違和感を与えることができる。
【０１０３】
音出力部３３０は、再び１０秒後に、第３のアプリケーションであるビューアについて患者ＩＤに割り当てられたパラメータの音から、第２のアプリケーションであるカルテについて患者ＩＤに割り当てられたパラメータの音に切り替える（子アプリケーションの入れ替えＢ）。この場合、レポートに対応する患者ＩＤの患者名は患者Ａであり、またビューアに対応する患者ＩＤの患者名は患者Ａであるため、音出力部３３０は、ビューアに対応する患者Ａに割り当てられた「ド」の音を「逆位相」で出力する。
【０１０４】
この場合、各アプリケーションに対応する患者ＩＤが患者Ａで同一であるため、出力された音は相殺され、再び、無音となる。
【０１０５】
音出力部３３０は、このような子アプリケーションの入れ替えを繰り返し行うことにより（ステップＳ０１３Ａ、ステップＳ０１５Ａ）、異なる患者ＩＤについてアプリケーションが起動されている場合には医師や読影技師に音によって違和感を与え、患者の同定が取れていない旨を通知することができる。
【０１０６】
図８のフローチャートでは、子アプリケーションの入れ替えを所定の回数だけ繰り返し実行した後（ステップＳ０１３Ａ、ステップ０１５Ａ）、複数同定報知処理を終了する。
【０１０７】
ここで、他のパターンとして、第３のアプリケーションであるカルテに割り当てられた患者ＩＤが、患者Ａの場合について、図９を参照しながら説明する。
【０１０８】
図９のパターン４の場合、第１のアプリケーションであるレポートに対応づけられた患者Ａについては、「ド」の音を「正位相」で出力するとともに、同時に第２のアプリケーションであるビューアに対応づけられた患者Ａについては、「ド」の音を「逆位相」で１０秒間出力する。この場合、パターン３の場合と同様に、各アプリケーションに割り当てられた患者ＩＤが患者Ａで同一であるため、出力された音は相殺され、無音となる。
【０１０９】
そして、音出力部３３０は、１０秒後に、第２のアプリケーションであるビューアに対応づけられた患者ＩＤに割り当てられたパラメータの音から、第３のアプリケーションであるカルテに対応づけられた患者ＩＤに割り当てられたパラメータの音に切り替える。この場合、レポートについての患者ＩＤが患者Ａであり、また、カルテについての患者ＩＤも患者Ａで同一であるため、出力された音は相殺され、無音となる。
【０１１０】
音出力部３３０は、所定の回数だけ子アプリケーションの入れ替えを実行しても、患者ＩＤが患者Ａで同一であるため、医師や読影技師に何も通知する必要はない。
【０１１１】
図９のパターン５の場合、第１のアプリケーションであるレポートに対応づけられた患者Ａについては、「ド」の音を「正位相」で出力するとともに、同時に第２のアプリケーションであるビューアに対応づけられた患者Ｂについては、「レ」の音を「逆位相」で１０秒間出力する。この場合、患者Ａと患者Ｂでは、割り当てられた音が「ド」と「レ」で異なるため、音出力部３３０は音を出力し、医師や読影技師に違和感を与えることができる。
【０１１２】
そして、音出力部３３０は、１０秒後に、第２のアプリケーションであるビューアについて患者ＩＤに割り当てられたパラメータの音から、第３のアプリケーションであるカルテについて患者ＩＤに割り当てられたパラメータの音に切り替える。この場合、各アプリケーションについて患者ＩＤが患者Ａで同一であるため、出力された音は相殺され、無音となる。
【０１１３】
図９のパターン６の場合、第１のアプリケーションであるレポートに対応づけられた患者Ａについては、「ド」の音を「正位相」で出力するとともに、同時に第２のアプリケーションであるビューアに対応づけられた患者Ｂについては、「レ」の音を「逆位相」で１０秒間出力する。この場合、レポートについての患者ＩＤは患者Ａであるが、ビューアについての患者ＩＤは患者Ｂであるため、患者Ａと患者Ｂでは割り当てられた音が「ド」と「レ」で異なり、音出力部３３０は音を出力し、医師や読影技師に違和感を与えることができる。
【０１１４】
そして、音出力部３３０は、１０秒後に、第２のアプリケーションであるビューアについて患者ＩＤに割り当てられた音のパラメータから、第３のアプリケーションであるカルテについて患者ＩＤに割り当てられた音のパラメータに切り替える。この場合、レポートについての患者ＩＤは患者Ａであるが、カルテについての患者ＩＤは患者Ｃであるため、音出力部３３０は、患者Ｃに割り当てられた「ミ」の音を「逆位相」で出力する。
【０１１５】
この場合は、レポートについて患者ＩＤは患者Ａであるが、カルテについて患者ＩＤは患者Ｃであり、患者Ａと患者Ｃに割り当てられた音が「ド」と「ミ」で異なる。
【０１１６】
パターン６では、音出力部３３０は、アプリケーションごとにそれぞれ異なる音を出力するので、継続的に医師や読影技師に違和感を与えることができる。
【０１１７】
以上説明したように、本実施形態に係る音出力部３３０は、複数の異なるアプリケーションを起動した各患者ＩＤに割り当てられたパラメータの音を、所定の時間間隔で交互に出力するだけで、複数のアプリケーション間における患者ＩＤの同一性を医師や読影技師に通知することができる。
【０１１８】
なお、本実施形態では、第１のアプリケーションが起動した場合には、正位相の波形を割り当てるとともに、第２のアプリケーションが起動した場合には、逆位相の波形を割り当てるようになっていたが、本実施形態は、これに限定されるものではない。
【０１１９】
例えば、アプリケーションの組み合わせに応じて、またはアプリケーションの種類に応じて、正位相の波形と逆位相の波形の割り当て方を予め決定しておくようにしてもよい。具体的には、カルテのアプリケーションが起動した場合には、逆位相の波形を割り当てるとともに、レポートのアプリケーションが起動した場合には、正位相の波形を割り当てるようにしてもよい。
【０１２０】
また、本実施形態に係る音出力部３３０は、さらにアプリケーションごとに優先順位を割り当てて、例えば、アプリケーションごとに優先的に親となる優先順位を割り当てたり、子アプリケーションの入れ替えをランダム（無作為）に行うようにしてもよい。
【０１２１】
また、本実施形態に係る音出力部３３０は、アプリケーションごとにパラメータの音を出力する時間を個別に設定するようにしてもよい。例えば、出力する子アプリケーションがビューアの場合には、出力する時間間隔を２０秒とする一方、出力する子アプリケーションがカルテの場合には、出力する時間間隔を３０秒とするようにしてもよい。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１２３】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１２４】
１００  第１のアプリケーション
１０５  第１のアプリケーション起動部
１１５  第１のアプリケーション起動検知部
１３０  第１の患者医療情報出力部
１３１  属性情報取得部
１３５  患者属性情報記憶部
１４０  アプリケーション特定部
１４５  アプリケーション特定情報記憶部
１５０  患者同定属性取得部
１５５  患者同定属性記憶部
１６０  アプリケーション患者医療情報出力部
２００  第２のアプリケーション
２０５  第２のアプリケーション起動部
２１５  第２のアプリケーション起動検知部
２３０  第２の患者医療情報出力部
３００  医用情報処理装置
３１０  パラメータ割当部
３２０  位相設定部
３３０  音出力部
４００  第３のアプリケーション
４０５  第３のアプリケーション起動部
４１５  第３のアプリケーション起動検知部
４３０  第３の患者医療情報出力部
【図１】
2015114721.tif 000003
【図２】
2015114721.tif 000004
【図３】
2015114721.tif 000005
【図４】
2015114721.tif 000006
【図５】
2015114721.tif 000007
【図６】
2015114721.tif 000008
【図７】
2015114721.tif 000009
【図８】
2015114721.tif 000010
【図９】
2015114721.tif 000011